(57)【要約】【課題】圧縮強度が高く、また熱交換器に接続された配管からの露を外部に漏らすこと無い空気調和機の室外機を提供する。【解決手段】天板１と、底板２と、前板（図示せず）と、後板４等で構成され、内部に少なくとも熱交換器６を収納してなる空気調和機の室外機５において、後板４に、室外機５と室内機（図示せず）を接続する接続配管１０を通すための配管用開口部１１を設け、さらに配管用開口部１１の近傍に、底板４の外周端面より室外機５の内部側に突出する補強リブ１３を設けたもので、上下方向の圧縮強度が向上するので、室外機５の保管時や輸送時の変形を防止でき、更に、補強リブ１３が内方に突出しているので、熱交換器６に接続された配管（図示せず）からの露を外部に漏らすことなく、確実に底板２に導くことができる。【選択図】図１
2009144980.tif 000002
【特許請求の範囲】
【請求項１】
天板と、底板と、前板と、後板等で構成され、内部に少なくとも熱交換器、送風機、圧縮機を収納してなる空気調和機の室外機において、前記後板に、前記室外機と室内機を接続する接続配管を通すための配管用開口部を設け、さらに前記配管用開口部の近傍に、前記底板の外周端面より前記室外機の内部側に突出する補強リブを設けたことを特徴とする空気調和機の室外機。
【請求項２】
補強リブの高さを、配管用開口部の上下方向の高さ寸法より上方向に大きい寸法に設定したことを特徴とする請求項１に記載の空気調和機の室外機。
【発明の詳細な説明】
【技術分野】
【０００１】
本発明は、空気調和機の室外機に関するもので、特に、室外機の外箱構造に関するものである。
【背景技術】
【０００２】
従来、一般的に空気調和機の室外機は、室内機と室外機を接続する接続用配管を通すため、前板と後板にそれぞれ配管用開口部が設けられ、更に前記配管用開口部を塞ぐための配管用カバーが配設される構成が一般的である（例えば、特許文献１参照）。
【０００３】
図４は、上記特許文献１に記載された空気調和機の室外機の内部構成を示す断面図、図５は、同空気調和機の室外機の背面図、図６は、同空気調和機の室外機の部分断面図である。
【０００４】
図４から図６に示すように、従来の空気調和機の室外機５の箱体５ａは、天板１と、底板２と、前板３と、後板４等で構成され、箱体５ａ内には、熱交換器６、送風機７、圧縮機８やそれぞれの冷凍部品を接続する複数の配管９が収納されている。前記後板４の下部には、室外機５と室内機（図示せず）間をつなぐ接続配管１０を通すための配管用開口部１１を有し、前記接続配管１０を通した後、前記配管用開口部１１を封止するための配管用カバー１２が設けられた構成となっている。
【特許文献１】特開２００３−１０６５６５号公報
【発明の開示】
【発明が解決しようとする課題】
【０００５】
しかしながら、前記従来の空気調和機の室外機の構成では、室外機が、出荷前、複数台倉庫に段積み状態で保管されたり、製品の輸送時に異常な取り扱いをされた場合、後板４は配管用開口部１１を有するため配管用開口部１１近傍の後板４と底板２との接合部分の強度が極端に弱くなり、上下方向の圧縮荷重により、後板４が変形し美観を損ねたり、熱交換器６に接続される配管９が後板４近傍で接続されるため後板４が変形することで、配管９についた露が下部に滴下しうまく底板２に導かれないという課題を有していた。
【０００６】
本発明は、前記従来の課題を解決するもので、上下方向の圧縮強度をアップさせ、また熱交換器に接続される配管からの露を外部に漏れることなく底板に確実に導くことのできる空気調和機の室外機を提供することを目的とする。
【課題を解決するための手段】
【０００７】
前記従来の課題を解決するために、本発明の空気調和機の室外機は、天板と、底板と、前板と、後板等で構成され、内部に少なくとも熱交換器、送風機、圧縮機を収納してなる空気調和機の室外機において、前記後板に、前記室外機と室内機を接続する接続配管を通すための配管用開口部を設け、さらに前記配管用開口部の近傍に、前記底板の外周端面より前記室外機の内部側に突出する補強リブを設けたもので、補強リブにより上下方向の圧縮強度が向上するので、室外機の保管時や輸送時の変形を防止でき、更に、補強リブが内方に突出しているので、熱交換器に接続された配管からの露を外部に漏らすことなく、確実に底板に導くことができる。
【発明の効果】
【０００８】
本発明の空気調和機の室外機は、補強リブにより上下方向の圧縮強度がアップし、また、補強リブが前記底板の外周端面より空気調和機本体の内部側に突出しているので、熱交
換器に接続される配管からの露を外部に漏れることなく底板に導くことができる。
【発明を実施するための最良の形態】
【０００９】
第１の発明は、天板と、底板と、前板と、後板等で構成され、内部に少なくとも熱交換器、送風機、圧縮機を収納してなる空気調和機の室外機において、前記後板に、前記室外機と室内機を接続する接続配管を通すための配管用開口部を設け、さらに前記配管用開口部の近傍に、前記底板の外周端面より前記室外機の内部側に突出する補強リブを設けたもので、補強リブにより上下方向の圧縮強度が向上するので、室外機の保管時や輸送時の変形を防止でき、更に、補強リブが内方に突出しているので、熱交換器に接続された配管からの露を外部に漏らすことなく、確実に底板に導くことができる。
【００１０】
また、第２の発明は、特に、第１の発明の補強リブの高さを、配管用開口部の上下方向の高さ寸法より上方向に大きい寸法に設定したもので、上下方向の圧縮荷重に対して一番応力が集中する配管用開口部の上部での屈折を防ぐことができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の室外機の背面図、図２は、同室外機の後板要部の部分断面図である。なお、上記従来の空気調和機の室外機と同一部分については、同一符号を付してその説明を省略する。
【００１３】
図１、図２において、本実施の形態における空気調和機の室外機５の箱体５ａは、天板１と、底板２と、前板３と、後板４等で構成され、箱体５ａ内には、少なくとも熱交換器６と、送風機７と、圧縮機８が収納されている。
【００１４】
後板４には、室外機５と室内機（図示せず）を接続する配管１０を通すための配管用開口部１１が設けられ、その近傍には、後板４の圧縮荷重強度を向上させる補強リブ１３を、前記底板２の外周端面２ａより空気調和機本体５の内部側に突出するように（０＜Ａ）、かつ上下方向に設けている。
【００１５】
以上のように、本実施の形態によれば、出荷前に複数台の室外機５が、倉庫にて段積み状態で保管されたり、室外機５の輸送時に異常な取り扱いをされた場合でも、室外機５の後板４の配管開口部１１の近傍で底板２とネジ止めされる部分に、補強リブ１３を設けているので、上下方向の圧縮強度をアップさせることができ、さらに、補強リブ１３を、前記底板２の外周端面２ａより室外機５の内部側に突出させているので、熱交換器６に接続される配管９からの露を外部に漏れることなく、底板２に確実に導くことができる。
【００１６】
（実施の形態２）
図３は、本発明の第２の実施の形態における空気調和機の室外機の後板要部の部分拡大図である。なお、上記第１の実施の形態における空気調和機と同一部分については、同一符号を付してその説明を省略する。
【００１７】
本実施の形態は、図３に示すように、後板４に設けた補強リブ１３の高さを、配管用開口部１１の上下方向の高さ寸法Ｂより、上方向に大きい寸法Ｃに設定したものである。
【００１８】
本実施の形態は、以上のように構成されているので、上下方向の圧縮荷重に対して一番応力が集中する配管用開口部１１の上部１１ａでの屈折を確実に防ぐことができる。
【産業上の利用可能性】
【００１９】
以上のように、本発明の空気調和機の室外機は、出荷前に複数台倉庫にて段積み状態で保管されたり、製品の輸送時に異常な取り扱いをされた場合でも、後板の配管接続部の近傍で底板とネジ止めされる部分に補強リブを設けて上下方向の圧縮強度をアップさせているので、変形することが無く、また補強リブが前記底板の外周端面より室外機本体の内部側に突出しているので、熱交換器に接続された配管からの露を外部に漏れることなく底板に導くことができるもので、空気調和機の室内機や、金属外郭を有する給湯機など各種機器にも適用できる。
【図面の簡単な説明】
【００２０】
【図１】本発明の実施の形態１における空気調和機の室外機の背面図
【図２】同室外機の後板要部の部分断面図
【図３】本発明の実施の形態２における空気調和機の室外機の後板要部の部分拡大図
【図４】従来の空気調和機の室外機の内部構造を示す断面図
【図５】同室外機の背面図
【図６】同室外機の部分断面図
【符号の説明】
【００２１】
１  天板
２  底板
２ａ  外周端面
３  前板
４  後板
５  室外機
５ａ  箱体
６  熱交換器
７  送風機
８  圧縮機
９  配管
１０  接続配管
１１  配管用開口部
１１ａ  上部
１２  配管カバー
１３  補強リブ
【図１】
2009144980.tif 000003
【図２】
2009144980.tif 000004
【図３】
2009144980.tif 000005
【図４】
2009144980.tif 000006
【図５】
2009144980.tif 000007
【図６】
2009144980.tif 000008